【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
回転可能な筒状のフィルムと、
前記フィルムの内面に前記フィルムの長手方向に亘って接触する接触部材と、
前記フィルムを介して前記接触部材と共にニップ部を形成するニップ部形成部材と、
前記フィルムが前記長手方向へ寄り移動するのを規制する規制部材であって、前記フィルムの前記長手方向の端面が当接する端部規制面と、前記フィルムの前記長手方向の端部の内部空間に前記長手方向に沿って設けられており、前記フィルムの内面の位置を規制する内面規制面と、を有する規制部材と、
を具備し、前記ニップ部において、画像が形成された記録材を搬送しながら加熱する像加熱装置において、
前記内面規制面は、前記長手方向に見たときに、前記フィルムの回転方向に関し、前記ニップ部から最も離れた第１領域と、前記第１領域よりも前記ニップ部に近い領域であって、前記回転方向において前記ニップ部の中心よりも前記回転方向の上流側に位置する第２領域と、を有し、
前記内面規制面は、前記フィルムの前記長手方向の端部から前記長手方向の中心に近づくに連れて、前記フィルムの内面から離れるように傾斜しており、前記内面規制面の傾斜角度は、前記第１領域の方が前記第２領域よりも大きいことを特徴とする像加熱装置。
【請求項２】
回転可能な筒状のフィルムと、
前記フィルムの内面に前記フィルムの長手方向に亘って接触する接触部材と、
前記フィルムを介して前記接触部材と共にニップ部を形成するニップ部形成部材と、
前記フィルムが前記長手方向へ寄り移動するのを規制する規制部材であって、前記フィルムの前記長手方向の端面が当接する端部規制面と、前記フィルムの前記長手方向の端部の内部空間に前記長手方向に沿って設けられており、前記フィルムの内面の位置を規制する内面規制面と、を有する規制部材と、
を具備し、前記ニップ部において、画像が形成された記録材を搬送しながら加熱する像加熱装置において、
前記内面規制面は、前記長手方向に見たときに、前記フィルムの回転方向に関し、前記ニップ部から最も離れた第１領域と、前記第１領域よりも前記ニップ部に近い領域であって、前記回転方向において前記ニップ部の中心よりも前記回転方向の上流側に位置する第２領域と、を有し、
前記第１領域は、前記フィルムの前記長手方向の端部から前記長手方向の中心に近づくに連れて、前記フィルムの内面から離れるように傾斜しており、前記第２領域の前記フィルムの内面からの距離は前記長手方向に亘って同一であることを特徴とする像加熱装置。
【請求項３】
回転可能な筒状のフィルムと、
前記フィルムの内面に前記フィルムの長手方向に亘って接触する接触部材と、
前記フィルムを介して前記接触部材と共にニップ部を形成するニップ部形成部材と、
前記フィルムが前記長手方向へ寄り移動するのを規制する規制部材であって、前記フィルムの前記長手方向の端面が当接する端部規制面と、前記フィルムの前記長手方向の端部の内部空間に前記長手方向に沿って設けられており、前記フィルムの内面の位置を規制する内面規制面と、を有する規制部材と、
を具備し、前記ニップ部において、画像が形成された記録材を搬送しながら加熱する像加熱装置において、
前記内面規制面は、前記長手方向に見たときに、前記フィルムの回転方向に関し、前記ニップ部から最も離れた第１領域と、前記第１領域よりも前記ニップ部に近い領域であって、前記回転方向において前記ニップ部の中心よりも前記回転方向の上流側に位置する第２領域と、を有し、
前記第１領域は、前記フィルムの前記長手方向の端部から前記長手方向の中心に近づくに連れて、前記フィルムの内面から離れるように傾斜しており、前記第２領域は傾斜していないことを特徴とする像加熱装置。
【請求項４】
前記第１領域の傾斜角度は、１．５度以上であることを特徴とする請求項１乃至３の何れか一項に記載の像加熱装置。
【請求項５】
前記接触部材はヒータであることを特徴とする請求項１乃至４の何れか一項に記載の像加熱装置。
【手続補正２】
【補正対象書類名】明細書
【補正対象項目名】０００９
【補正方法】変更
【補正の内容】
【０００９】
上記の目的を達成するための本発明に係る像加熱装置の代表的な構成は、
回転可能な筒状のフィルムと、
前記フィルムの内面に前記フィルムの長手方向に亘って接触する接触部材と、
前記フィルムを介して前記接触部材と共にニップ部を形成するニップ部形成部材と、
前記フィルムが前記長手方向へ寄り移動するのを規制する規制部材であって、前記フィルムの前記長手方向の端面が当接する端部規制面と、前記フィルムの前記長手方向の端部の内部空間に前記長手方向に沿って設けられており、前記フィルムの内面の位置を規制する内面規制面と、を有する規制部材と、を具備し、前記ニップ部において、画像が形成された記録材を搬送しながら加熱する像加熱装置において、
前記内面規制面は、前記長手方向に見たときに、前記フィルムの回転方向に関し、前記ニップ部から最も離れた第１領域と、前記第１領域よりも前記ニップ部に近い領域であって、前記回転方向において前記ニップ部の中心よりも前記回転方向の上流側に位置する第２領域と、を有し、
前記内面規制面は、前記フィルムの前記長手方向の端部から前記長手方向の中心に近づくに連れて、前記フィルムの内面から離れるように傾斜しており、前記内面規制面の傾斜角度は、前記第１領域の方が前記第２領域よりも大きいことを特徴とする。
【手続補正３】
【補正対象書類名】明細書
【補正対象項目名】００１０
【補正方法】変更
【補正の内容】
【００１０】
また、上記の目的を達成するための本発明に係る像加熱装置の他の代表的な構成は、
回転可能な筒状のフィルムと、
前記フィルムの内面に前記フィルムの長手方向に亘って接触する接触部材と、
前記フィルムを介して前記接触部材と共にニップ部を形成するニップ部形成部材と、
前記フィルムが前記長手方向へ寄り移動するのを規制する規制部材であって、前記フィルムの前記長手方向の端面が当接する端部規制面と、前記フィルムの前記長手方向の端部の内部空間に前記長手方向に沿って設けられており、前記フィルムの内面の位置を規制する内面規制面と、を有する規制部材と、
を具備し、前記ニップ部において、画像が形成された記録材を搬送しながら加熱する像加熱装置において、
前記内面規制面は、前記長手方向に見たときに、前記フィルムの回転方向に関し、前記ニップ部から最も離れた第１領域と、前記第１領域よりも前記ニップ部に近い領域であって、前記回転方向において前記ニップ部の中心よりも前記回転方向の上流側に位置する第２領域と、を有し、
前記第１領域は、前記フィルムの前記長手方向の端部から前記長手方向の中心に近づくに連れて、前記フィルムの内面から離れるように傾斜しており、前記第２領域の前記フィルムの内面からの距離は前記長手方向に亘って同一であることを特徴とする。
また、上記の目的を達成するための本発明に係る像加熱装置の他の代表的な構成は、
回転可能な筒状のフィルムと、
前記フィルムの内面に前記フィルムの長手方向に亘って接触する接触部材と、
前記フィルムを介して前記接触部材と共にニップ部を形成するニップ部形成部材と、
前記フィルムが前記長手方向へ寄り移動するのを規制する規制部材であって、前記フィルムの前記長手方向の端面が当接する端部規制面と、前記フィルムの前記長手方向の端部の内部空間に前記長手方向に沿って設けられており、前記フィルムの内面の位置を規制する内面規制面と、を有する規制部材と、
を具備し、前記ニップ部において、画像が形成された記録材を搬送しながら加熱する像加熱装置において、
前記内面規制面は、前記長手方向に見たときに、前記フィルムの回転方向に関し、前記ニップ部から最も離れた第１領域と、前記第１領域よりも前記ニップ部に近い領域であって、前記回転方向において前記ニップ部の中心よりも前記回転方向の上流側に位置する第２領域と、を有し、
前記第１領域は、前記フィルムの前記長手方向の端部から前記長手方向の中心に近づくに連れて、前記フィルムの内面から離れるように傾斜しており、前記第２領域は傾斜していないことを特徴とする。